(57)【要約】【課題】地震や災害等の緊急時に簡単に組み立てができ、衛生的に使用できる緊急用簡易トイレを提供すること。【解決手段】  横長略長方形のダンボール板の上部を、一つの山形と左右に曲線を持つ所定の形に加工し、縦に５ヵ所の折り線を設け、山形の下部にハート型の切抜きを設け、左右の側面となる面の真中に半円形の切り込みと半円の端部を結ぶ線に折り線を設け、左側面と後部側面の折線部にかけて差込み口を設け、右端部の後部側壁の端部に差込みを設け、左右の側面にあたる半円形の切り込みを折り線で内側に折り込み、縦の折り線５ヵ所を内側に折り曲げて左側の差込み口に右端部の差込みを差込んで立体を形成してこれをトイレ本体とし、別途横長長方形のダンボール板を所定の巾に加工し、縦の折り線を２ヵ所設け、真中に円形の穴を設け、２ヶ所の折り線を折り曲げたものを強化板とし、上記前記トイレ本体の中に強化板を挿入し、該トイレ本体の上部左右にクッション材を嵌め込んだ、緊急用簡易トイレである。【選択図】図１
2012223530.tif 000002
【特許請求の範囲】
【請求項１】
横長略長方形のダンボール板の上部を、一つの山形と左右に曲線を持つ所定の形に加工し、縦に５ヵ所の折り線を設け、山形の下部にハート型の切抜きを設け、左右の側面となる面の真中に半円形の切り込みを設け、その端部を結ぶ線に折り線を設け、左側面と後部側面の折線部にかけて差込み口を設け、右端部の後部側壁の端部に差込みを設け、左右の側面にあたる半円形の切り込みを折り線で内側に折り込み、縦の折り線５ヵ所を内側に折り曲げて左側の差込み口に右端部の差込みを差込んで立体を形成してこれをトイレ本体とし、別途横長長方形のダンボール板を所定の巾に加工し、縦の折り線を２ヵ所設け、真中に円形穴を設け、その２ヶ所の折り線を折り曲げたものを強化板として前記トイレ本体の中にその強化板を挿入し、該トイレ本体の上部左右にクッション材を嵌め込んだ、緊急用簡易トイレ。
【発明の詳細な説明】
【技術分野】
【０００１】  本発明は、地震や災害等の緊急時に使用できる緊急用簡易トイレに関するものである。
【背景技術】
【０００２】  従来、地震や災害等の緊急時にはプレハブ式の簡易トイレが設営されるが、例えば地震では道路が寸断され、プレハブ式の簡易トイレが現地に届くまでに時間がかかり、緊急時に間に合わない状況もある。また、プレハブ式の簡易トイレは満杯となって使用できなくなる状況もある。
そのためにダンボール製の組み立て式簡易トイレがいろいろ提案されている。
例えば下記のような文献がある。
【先行技術文献】
【特許文献】
【０００３】
【特許文献１】特開平１１−８９７５０
【特許文献２】特開２００８−２８９８４８
【特許文献３】特許第３７６０３９３号
【発明の概要】
【発明が解決しようとする課題】
【０００４】  特開平１１−８９７５０においても特開２００８−２８９８４８においても上部がほぼ平面に形成されている。このような形では小用の場合飛沫が飛散する恐れがある。
また、特許第３７６０３９３号においては上面の前部をアーチ型とすることによりこの問題を解決しているが、組み立てが複雑である。本発明は組立てが簡単で飛沫が飛散する恐れがない、緊急用簡易トイレを提供する。
【課題を解決するための手段】
【０００５】  横長略長方形のダンボール板の上部を、一つの山形と左右に曲線を持つ所定の形に加工し、縦に５ヵ所の折り線を設け、山形の下部にハート型の切抜きを設け、左右の側面となる面の真中に半円形の切り込みを設け、その端部を結ぶ線に折り線を設け、左側面と後部側面の折り線部にかけて差込み口を設け、右端部の後部側壁の端部に差込みを設ける。
左右の側面にあたる半円形の切り込みを折り線で内側に折り込み、縦の折り線５ヵ所を内側に折り曲げて左側の差込み口に右端部の差込みを差込んで立体を形成してこれをトイレ本体とする。
別途横長長方形のダンボール板を所定の巾に加工し、縦の折り線を２ヵ所設け真中に円形穴を設けて２ヶ所の折り線を折り曲げたものを強化板とする。
前記トイレ本体の中に強化板を挿入し、該トイレ本体の上部左右にクッション材を嵌め込んだ、緊急用簡易トイレである。
【発明の効果】
【０００６】  本発明は、組み立てが簡単なので誰でもすぐ組み立てができて使用できる。本発明に便座用ポリ袋をセットして中にチリ紙を敷いて用を足し、その後は便座用ポリ袋を外して別途汚物収納ポリ袋に入れて自分で処理するので衛生的である。簡易トイレ自体は耐加重があり繰り返し使用可能なので、便座用ポリ袋、チリ紙や汚物収納ポリ袋等の消耗品を相当数セットすれば家族単位で使用できる。
【図面の簡単な説明】
【０００７】
【図１】本発明の展開図
【図２】本発明の組立斜視図
【図３】本発明を使用状態にした斜視図
【発明を実施するための形態】
【０００８】  本発明の構造を図１により説明する。
横長略長方形のダンボール板の上部を一つの山形（１５）と左右に曲線ａ（１６），曲線ｂ（１７）を持つ所定の形に加工し、縦の折り線、折り線ａ（３）、折り線ｂ（４）、折り線ｃ（５）、折り線ｄ（６）、折り線ｅ（７）を入れる。縦の折り線を内側に折り込むと、側壁ａ（８），側壁ｂ（９）、側壁ｃ（１０）、側壁ｄ（１１）、側壁ｅ（１２）及び側壁ｆ（１３）が形成される。
山形（１５）の下部の側壁ｃ（１０）と側壁ｄ（１１）とにかけてハート形穴（１８）を設け、側壁ｂ（９）の中間部に半円形切込み（９ａ）及び折り線（９ｂ）を設け、側壁ｅ（１２）の中間部に半円形切込み（１２ａ）及び折り線（１２ｂ）を設け、側壁ａ（８）と側壁ｂ（９）とにかけて差込み口（１４）を設け、側壁ｆ（１３）の端部に差込み（１９）を設ける。
側壁ｂ（９）の半円形切込み（９ａ）を折り線（９ｂ）より内側に折込み、側壁ｅ（１２）の半円形切込み（１２ａ）を折り線（１２ｂ）より内側に折込み、縦の折り線、折り線ａ（３）、折り線ｂ（４）、折り線ｃ（５）、折り線ｄ（６）、折り線ｅ（７）を内側に折り曲げて、差込み口（１４）に差込み（１９）を差込んで立体を形成してこれをトイレ本体（２）とする。これにより山形（１５）は前部となり、側壁ａ（８）は側壁ｆ（１３）の内側に入って後部の二重側壁をなす。
別途横長長方形のダンボール板を所定の巾に加工し、縦の折り線、折り線ａ（２２）及び折り線ｂ（２３）を設け、真中に円形穴（２４）を設け、折り線ａ（２２）及び折り線ｂ（２３）を折り曲げたものを強化板（２１）とする。
前記トイレ本体（２）の中に強化板（２１）を挿入する。これにより、強化板（２１）は内側に折り込んだ半円板（９ｃ）及び半円板（１２ｃ）の上に乗る。
トイレ本体（２）の上部の曲線ａ（１６）及び  曲線ｂ（１７）部にクッション材（２０）をそれぞれ嵌め込む。これにより簡易トイレ（１）が完成する。
簡易トイレ（１）を組み立てた状態の斜視図を図２に示す。
【０００９】  簡易トイレ（１）を使用するときは、便座用ポリ袋（３０）をその上にかぶせ、中にチリ紙（３１）を敷いて使用する。この時強化板（２１）の上面は、便座用ポリ袋（３０）の台座となる。また、トイレ本体（２）の前部のハート形穴（１８）は、手をかけて体を支えることに役立つ。
用便後は便座用ポリ袋（３０）を簡易トイレ（１）から外して結束し、別途用意した汚物収納ポリ袋に入れて廃棄する。
簡易トイレ（１）に便座用ポリ袋（３０）をかぶせチリ紙（３１）を敷いた状態を図３に示す。
【符号の説明】
【００１０】  １  緊急用簡易トイレ
２  トイレ本体
３  折り線ａ
４  折り線ｂ
５  折り線ｃ
６  折り線ｄ
７  折り線ｅ
８  側壁ａ
９  側壁ｂ
９ａ半円形切込み
９ｂ折り線
９ｃ半円板
１０  側壁ｃ
１１  側壁ｄ
１２  側壁ｅ
１２ａ半円形切込み
１２ｂ折り線
１２ｃ半円板
１３  側壁ｆ
１４  差込み口
１５  山形
１６  曲線ａ
１７  曲線ｂ
１８  ハート形穴
１９  差込み
２０  クッション材
２１  補強板
２２  折り線ａ
２３  折り線ｂ
２４  円形穴
３０  便座用ポリ袋
３１  チリ紙
【図１】
2012223530.tif 000003
【図２】
2012223530.tif 000004
【図３】
2012223530.tif 000005